(57)【要約】【課題】消費電力量を抑えた低消費電力状態に移行することにおり、消費電力量をより低く抑えることが可能な記録装置、および、電源装置を提供する。【解決手段】記録媒体に記録を行うプリンター１であって、ＣＰＵ４１と、ＣＰＵ４１を含む各部に電源を供給するＤＣ／ＤＣコンバーター３１と、ＤＣ／ＤＣコンバーター３１からＣＰＵ４１を含む各部への電源の供給と停止を切り換えるＦＥＴ３２と、ＣＰＵ４１の制御によりＦＥＴ３２に印加するゲート動作電圧ＶＧを変化させて、ＣＰＵ４１を含む各部への電源供給を停止させ、低消費電力状態に移行するラッチ回路３３とを備え、プリンター１の外部からの指示を検出した場合に、ラッチ回路３３の制御信号の出力をリセットさせてＤＣ／ＤＣコンバーター３１からの電源供給を開始させ、低消費電力状態から復帰する。【選択図】図１
2012115995.tif 000002
【特許請求の範囲】
【請求項１】
記録媒体に記録を行う記録装置であって、
制御手段と、
前記制御手段を含む各部に電源を供給する電源供給手段と、
前記電源供給手段から前記制御手段を含む各部への電源の供給と停止を切り換える給電切換手段と、
前記制御手段の制御により、前記給電切換手段に制御信号を出力して前記制御手段を含む各部への電源供給を停止させ、低消費電力状態に移行する給電停止手段と、
前記記録装置の外部からの指示を検出した場合に、前記給電停止手段の制御信号の出力をリセットさせて前記電源供給手段からの電源供給を開始させ、低消費電力状態から復帰する復帰手段と、
を備えたことを特徴とする記録装置。
【請求項２】
前記給電切換手段は、前記給電停止手段から入力される制御信号が所定の状態である間に前記電源供給手段から前記制御手段を含む各部への電源供給を停止させるスイッチで構成され、
前記給電停止手段は、前記制御手段の制御に従って前記制御信号を所定の状態に保持し、前記復帰手段によりリセットされると前記制御信号を初期状態に切り換えることを特徴とする請求項１記載の記録装置。
【請求項３】
前記記録媒体を搬送するための駆動源となる搬送モーター、および前記記録媒体に記録を行う記録ヘッドを含む駆動部と、前記制御手段の制御に従って、前記電源供給手段から前記制御手段を含む各部への電源供給を保ったまま、前記駆動部に対する電源供給を停止させる駆動電源供給手段とを備えることを特徴とする請求項１または２記載の記録装置。
【請求項４】
前記記録装置の外部の電源から前記電源供給手段へ電源を供給する電源供給ラインを、機械的機構により接離するメカニカルスイッチを備えることを特徴とする請求項１から３のいずれかに記載の記録装置。
【請求項５】
前記復帰手段は、前記記録装置が備える前記記録媒体または前記記録機構を覆うカバーの開閉を検出する開閉検出手段、或いは、前記記録装置の外部から入力操作を検出する操作スイッチにより構成され、検出時に前記給電停止手段にリセット信号を出力することを特徴とする請求項１から４のいずれかに記載の記録装置。
【請求項６】
前記復帰手段は、前記記録装置に外部接続された他の装置から送信された信号を検出する信号検出手段により構成され、検出時に前記給電停止手段にリセット信号を出力することを特徴とする請求項１から４のいずれかに記載の記録装置。
【請求項７】
記録媒体に記録を行う記録装置が備える電源装置であって、
前記記録装置が備える制御手段を含む各部に電源を供給する電源供給手段と、
前記電源供給手段から前記制御手段を含む各部への電源の供給と停止を切り換える給電切換手段と、
前記制御手段の制御により、前記給電切換手段に制御信号を出力して前記制御手段を含む各部への電源供給を停止させ、低消費電力状態に移行する給電停止手段と、を備え、
前記給電停止手段は、前記記録装置の外部からの指示を検出した場合にリセット信号を出力する復帰手段に接続され、前記復帰手段から前記リセット信号が入力された場合に制御信号の出力をリセットして前記電源供給手段からの電源供給を開始させ、低消費電力状態から復帰すること、
を特徴とする電源装置。
【発明の詳細な説明】
【技術分野】
【０００１】
本発明は、記録媒体に記録を行う記録装置、および、記録装置に電源を供給する電源装置に関する。
【背景技術】
【０００２】
記録媒体に記録を行うプリンター等の記録装置は、記録動作を実行しない状態が所定時間以上継続すると、待機電力を抑えるためにモーター等の消費電力の大きい部品への電力供給をオフにする、低消費電力状態（いわゆるスタンバイ、スリープ）に移行する機能を有する（例えば、特許文献１参照）。この低消費電力状態は、電源オフとは異なり、短時間で電源供給を再開し、通常の動作状態に復帰できる。
例えば、特許文献１記載のプリンターは、モーターやソレノイド等を駆動する駆動電源部に対してＡＣ電源の供給をオン／オフするリレーと、このリレーを制御するエンジンコントローラーとを備え、スタンバイ状態に移行するとエンジンコントローラーによってリレーをオフにする。この構成では、スタンバイ状態でもエンジンコントローラーが外部のコンピューターと通信を行っており、コンピューターから動作命令を受信すると、エンジンコントローラーがリレーをオンにして通常の動作状態に復帰する。
【先行技術文献】
【特許文献】
【０００３】
【特許文献１】特開２００４−２０２６９２号公報
【発明の概要】
【発明が解決しようとする課題】
【０００４】
従来の記録装置の低消費電力状態では、通常の動作状態に復帰する制御を行うために、低消費電力状態であってもコントローラー等の制御装置が動作する。このため、待機時の消費電力量を制御装置の消費電力より小さくすることはできず、省電力化の限界となっていた。
本発明は、上述した事情に鑑みてなされたものであり、消費電力量を抑えた低消費電力状態に移行することにおり、消費電力量をより低く抑えることが可能な記録装置、および、電源装置を提供することを目的とする。
【課題を解決するための手段】
【０００５】
上記目的を達成するために、本発明は、記録媒体に記録を行う記録装置であって、制御手段と、前記制御手段を含む各部に電源を供給する電源供給手段と、前記電源供給手段から前記制御手段を含む各部への電源の供給と停止を切り換える給電切換手段と、前記制御手段の制御により、前記給電切換手段に制御信号を出力して前記制御手段を含む各部への電源供給を停止させ、低消費電力状態に移行する給電停止手段と、前記記録装置の外部からの指示を検出した場合に、前記給電停止手段の制御信号の出力をリセットさせて前記電源供給手段からの電源供給を開始させ、低消費電力状態から復帰する復帰手段とを備えたことを特徴とする。
本発明によれば、制御手段の制御によって、制御手段を含む各部への電源供給を停止する低消費電力状態に移行し、記録装置の外部から指示をすることで低消費電力状態から復帰する。この低消費電力状態は制御手段をも停止させるため、モーター等への電力供給を停止する従来のスリープ状態よりもさらに消費電力量が小さく、ほぼ電源オフに近いほど低消費電力であるが、記録装置の外部からの指示により容易に通常の動作状態に復帰できる。これにより、電源がオフの状態とは異なる低消費電力状態に移行可能で、この低消費電力状態における消費電力量をより低く抑えることが可能な記録装置を提供できる。
【０００６】
また、本発明は、上記記録装置において、前記給電切換手段は、前記給電停止手段から入力される制御信号が所定の状態である間に前記電源供給手段から前記制御手段を含む各部への電源供給を停止させるスイッチで構成され、前記給電停止手段は、前記制御手段の制御に従って前記制御信号を所定の状態に保持し、前記復帰手段によりリセットされると前記制御信号を初期状態に切り換えることを特徴とする。
本発明によれば、制御手段を含む各部への電源供給の停止と、この電源供給が停止した低消費電力状態からの復帰が可能な記録装置を、簡単な回路構成を用いて容易に実現できる。
【０００７】
また、本発明は、上記記録装置において、前記記録媒体を搬送するための駆動源となる搬送モーター、および前記記録媒体に記録を行う記録ヘッドを含む駆動部と、前記制御手段の制御に従って、前記電源供給手段から前記制御手段を含む各部への電源供給を保ったまま、前記駆動部に対する電源供給を停止させる駆動電源供給手段とを備えることを特徴とする。
本発明によれば、制御手段への電源供給を保ったまま搬送モーターや記録ヘッドへの電源供給を停止できる。この状態は、上記の低消費電力状態とは別の、消費電力量を抑えた待機状態であるから、電源オフとは異なり消費電力量を抑えた２通りの状態に移行可能となる。これにより、制御手段への電源供給を保ったまま搬送モーターや記録ヘッドへの電源供給を停止した状態と、制御手段への電源供給をも停止した低消費電力状態とに移行可能な記録装置を実現でき、より細かく消費電力の制御を行える。
【０００８】
また、本発明は、上記記録装置において、前記記録装置の外部の電源から前記電源供給手段へ電源を供給する電源供給ラインを、機械的機構により接離するメカニカルスイッチを備えることを特徴とする。
本発明によれば、メカニカルスイッチによる電源断をしなくても、制御手段を含めた各部への電力供給を停止して、ほぼ電源オフに近いほど消費電力量を抑えることができる。メカニカルスイッチは制御手段によってソフトウェア的にオンオフできないため、メカニカルスイッチを備えた記録装置は消費電力量の抑制に限度があるが、上記の低消費電力状態に移行することで、制御手段の制御によって、速やかにかつ大幅に消費電力量を低下させることができる。
【０００９】
また、本発明は、上記記録装置において、前記復帰手段は、前記記録装置が備える前記記録媒体または前記記録機構を覆うカバーの開閉を検出する開閉検出手段、或いは、前記記録装置の外部から入力操作を検出する操作スイッチにより構成され、検出時に前記給電停止手段にリセット信号を出力することを特徴とする。
本発明によれば、記録装置のカバーの開閉または操作スイッチの操作により、低消費電力状態から復帰するので、制御手段への電力供給をも停止した低消費電力状態から容易に復帰させることができる。
【００１０】
また、本発明は、上記記録装置において、前記復帰手段は、前記記録装置に外部接続された他の装置から送信された信号を検出する信号検出手段により構成され、検出時に前記給電停止手段にリセット信号を出力することを特徴とする。
本発明によれば、記録装置に外部接続された装置から信号を送信することで、制御手段への電力供給をも停止した低消費電力状態から容易に復帰させることができる。
【００１１】
また、上記課題を解決するため、本発明は、記録媒体に記録を行う記録装置が備える電源装置であって、前記記録装置が備える制御手段を含む各部に電源を供給する電源供給手段と、前記電源供給手段から前記制御手段を含む各部への電源の供給と停止を切り換える給電切換手段と、前記制御手段の制御により、前記給電切換手段に制御信号を出力して前記制御手段を含む各部への電源供給を停止させ、低消費電力状態に移行する給電停止手段と、を備え、前記給電停止手段は、前記記録装置の外部からの指示を検出した場合にリセット信号を出力する復帰手段に接続され、前記復帰手段から前記リセット信号が入力された場合に制御信号の出力をリセットして前記電源供給手段からの電源供給を開始させ、低消費電力状態から復帰すること、を特徴とする。
本発明によれば、記録装置の制御手段の制御によって、制御手段を含む各部への電源供給を停止する低消費電力状態に移行し、記録装置の外部からの指示に応じて記録装置を低消費電力状態から復帰させることができる。この低消費電力状態は制御手段をも停止させるため、モーター等への電力供給を停止する従来のスリープ状態よりもさらに消費電力量が小さく、ほぼ電源オフに近いほど低消費電力であるが、記録装置の外部からの指示により容易に通常の動作状態に復帰できる。従って、本発明の電源装置を用いることで、電源がオフの状態とは異なる低消費電力状態に移行可能で、この低消費電力状態における消費電力量をより低く抑えることが可能な記録装置を提供できる。
【発明の効果】
【００１２】
本発明によれば、制御手段を含む各部への電源供給を停止して消費電力量を大幅に抑制した低消費電力状態に、制御手段の制御によって容易に移行し、この制御手段が動作しない低消費電力状態から容易に復帰できる。このため、電源がオフの状態とは異なる低消費電力状態に移行可能で、この低消費電力状態における消費電力量をより低く抑えることが可能な記録装置を提供できる。
【図面の簡単な説明】
【００１３】
【図１】本発明の実施形態に係るプリンターの構成を示すブロック図である。
【図２】プリンターの各部が入出力する信号のタイミングチャートである。
【発明を実施するための形態】
【００１４】
以下、図面を参照して本発明の実施形態について説明する。
図１は、本発明を適用した実施形態に係るプリンター１のブロック図である。
プリンター１は、記録媒体に文字や画像等を記録（印刷）する記録装置である。本実施形態では、プリンター１が、本体ケース（図示略）内に収容した感熱ロール紙（図示略）に対し、ラインサーマルヘッドによって熱を与え、文字や画像等を印刷するラインサーマルプリンターである場合を例に挙げて説明する。
【００１５】
プリンター１は、電源装置３と、電源装置３から電源の供給を受けて動作し、ロール紙への記録を行う記録部４とを備える。
記録部４は、制御プログラムを実行してプリンター１の各部を制御するＣＰＵ４１（制御手段）、ＣＰＵ４１が実行する制御プログラムや設定値等のデータを記憶するＲＯＭ４２、ＣＰＵ４１が実行する制御プログラムや処理対象のデータを展開するワークエリアを形成するＲＡＭ４３、および、プリンター１の外部のホストコンピューター１００（他の装置）に接続されるインターフェイス（Ｉ／Ｆ）部４６を備えている。また、記録部４は、ＣＰＵ４１を含む制御系により制御される駆動部４０として、ＣＰＵ４１の制御に従ってロール紙を搬送する搬送モーター４４、および、搬送モーター４４により搬送されるロール紙に有色のドットを形成して文字や画像を記録する記録ヘッド４５を備えている。記録部４が備える各部はバス４７を介して相互に接続されている。
ＣＰＵ４１は、ＲＯＭ４２に記憶された制御プログラムおよびデータを読み出して、ＲＡＭ４３のワークエリアに展開して実行することにより、プリンター１の各部を制御する。また、ＣＰＵ４１は、インターフェイス部４６を介してホストコンピューター１００との間で各種データを送受信し、ホストコンピューター１００から送信される印刷実行コマンドおよび印刷データに基づいて駆動部４０の搬送モーター４４および記録ヘッド４５を制御し、印刷を実行する。
【００１６】
搬送モーター４４は、ロール紙に接する搬送ローラーに連結され、搬送モーター４４の回転に伴って搬送ローラーが回転することにより、ロール紙が排出口に向けて搬送される。記録部４は、記録ヘッド４５による印刷後のロール紙を排出口付近で切断するカッターユニット（図示略）と、このカッターユニットを動作させるカッター駆動モーターを備えていてもよい。この場合、カッター駆動モーターはＣＰＵ４１の制御によって所定のタイミングでカッターユニットの刃を移動させ、ロール紙をカットする。このカッター駆動モーターを備えた構成においては、駆動部４０にカッター駆動モーターが含まれる。
【００１７】
プリンター１は、ロール紙を収容する本体（図示略）に開閉可能なカバー（図示略）を備え、このカバーを開くことでロール紙を補充および交換できる。プリンター１は、上記カバーの開閉を検出して、カバーの開閉状態に応じた出力電圧をＣＰＵ４１に出力するカバー開閉スイッチ５１を備えている。また、プリンター１の本体の上面または前面には操作パネル（図示略）が設けられ、押圧操作に応じて所定電圧を出力するパネルスイッチ５２が配置されている。パネルスイッチ５２は、例えば、印刷動作時以外にロール紙の搬送を指示するフィードスイッチであり、パネルスイッチ５２が押下されると、押下中は所定電圧の信号がＣＰＵ４１に入力される。
【００１８】
プリンター１には、商用交流電源Ｐに接続されたＡＣアダプター２が接続されている。ＡＣアダプター２は、例えば交流１００ボルトの商用交流電源Ｐを整流および電圧変換して、２４ボルトの直流電力を電源装置３に供給する。このＡＣアダプター２から供給される電力に基づいて、電源装置３は、記録部４の各部に電源を供給する。
電源装置３は、ＡＣアダプター２から供給される２４ボルトの直流電力を電圧変換し、例えば３．３ボルトの直流電力を生成して出力するＤＣ／ＤＣコンバーター３１（電源供給手段）を備えている。このＤＣ／ＤＣコンバーター３１が出力する３．３ボルトの直流電力は、主として制御基板に実装されたデバイスを動作させる電源となる。
【００１９】
ＤＣ／ＤＣコンバーター３１の出力段にはＦＥＴ（Field Effect Transistor）３２を介して記録部４の各部が接続されており、このＦＥＴ３２を介して、ＣＰＵ４１、ＲＯＭ４２、ＲＡＭ４３、インターフェイス部４６およびその他の各部に直流３．３ボルトの電源が供給される。より詳細には、ＤＣ／ＤＣコンバーター３１の出力段はＦＥＴ３２のソースに接続される一方、ＦＥＴ３２のドレインに記録部４の各部が接続され、ＦＥＴ３２のゲートに、しきい値より高いゲート電圧が印加されると記録部４の各部へ３．３ボルトの直流電力が供給される。なお、図１中にはＦＥＴ３２からＣＰＵ４１への電源供給ラインを図示しているが、ＲＯＭ４２、ＲＡＭ４３、およびインターフェイス部４６にもＦＥＴ３２から電源供給ライン（図示略）が接続されている。
【００２０】
電源装置３は、ＦＥＴ３２（給電切換手段）にゲート電圧を印加するラッチ回路３３を備えている。ラッチ回路３３は、ＣＰＵ４１から入力される制御電圧ＳＯと同じ状態のゲート動作電圧ＶＧ（制御信号）をＦＥＴ３２のゲートに出力する。例えば、ＣＰＵ４１がラッチ回路３３に出力する制御電圧ＳＯがハイレベルの間は、ラッチ回路３３はハイレベルのゲート動作電圧ＶＧを出力する。このため、ＣＰＵ４１が制御電圧ＳＯをハイレベルに保っている間はＦＥＴ３２がオンになって記録部４へ電源が供給される。また、ＣＰＵ４１が制御電圧ＳＯをローレベルに切り換えると、これに連動してラッチ回路３３が出力するゲート動作電圧ＶＧがローレベルに切り換わるので、ＦＥＴ３２がオフになり、ＤＣ／ＤＣコンバーター３１から記録部４への電源供給が停止する。
【００２１】
また、ラッチ回路３３（給電停止手段）には、ＤＣ／ＤＣコンバーター３１が生成した直流電力が供給されており、ラッチ回路３３は、この直流電力により制御電圧ＳＯをラッチする。すなわち、ラッチ回路３３は、制御電圧ＳＯがローレベルに切り換わると、このときの制御電圧ＳＯをラッチして、その後に制御電圧ＳＯがハイレベルに切り換わっても、ゲート動作電圧ＶＧをローレベルに保つ。このため、いったんＣＰＵ４１がローレベルの制御電圧ＳＯを出力すると、ゲート動作電圧ＶＧがローレベルに保たれるので、ＤＣ／ＤＣコンバーター３１から記録部４への電源供給が停止した状態が保持される。
【００２２】
また、ラッチ回路３３には制御電圧ＳＯのラッチ状態をキャンセルさせるキャンセル信号ＳＣ（リセット信号）が、カバー開閉スイッチ５１（復帰手段、開閉検出手段）およびパネルスイッチ５２（復帰手段、操作スイッチ）から入力される。
カバー開閉スイッチ５１は、例えばカバーの開閉に連動する機械的機構を備えたメカニカルスイッチで構成され、カバーが閉じた状態ではオフであり、カバーが開いた状態でオンになる。パネルスイッチ５２は、押下されている間だけオンになって導通するスイッチである。これらカバー開閉スイッチ５１およびパネルスイッチ５２にはＤＣ／ＤＣコンバーター３１が生成した直流電圧が印加されており、これらのスイッチがオフの間は、ＤＣ／ＤＣコンバーター３１からの印加電圧がキャンセル信号ＳＣとしてラッチ回路３３に出力される。そして、これらのスイッチは、オンになった場合にスイッチ内部で出力ラインがアースに導通して出力電圧が低下する構成を具備している。このため、カバーが開かれ、或いはパネルスイッチ５２が押圧されると、ラッチ回路３３に入力されるキャンセル信号ＳＣの電圧が低くなる。ラッチ回路３３は、キャンセル信号ＳＣの電圧がしきい値より低くなると、制御電圧ＳＯのラッチを解除して、ゲート動作電圧ＶＧをハイレベルに切り換える。このように、ＤＣ／ＤＣコンバーター３１から記録部４への電源供給が停止した状態で、カバーが開いてカバー開閉スイッチ５１がオンになり、或いは、パネルスイッチ５２が押圧されると、ＤＣ／ＤＣコンバーター３１から記録部４への電源供給が再開される。
【００２３】
電源装置３は、ＡＣアダプター２からＤＣ／ＤＣコンバーター３１に供給される２４ボルトの直流電力を、駆動部４０に供給する駆動電源供給部３４（駆動電源供給手段）を備えている。なお、駆動電源供給部３４から駆動部４０の各部には電源供給ラインが接続されているが、ここでは図示を省略する。
駆動部４０に含まれる搬送モーター４４や記録ヘッド４５等の装置は、基板上に実装されるデバイスに比べて高電圧の電力を必要とするので、これらの各部にはＡＣアダプター２が出力する電力が供給される。駆動電源供給部３４は、ＣＰＵ４１の制御に従って、ＡＣアダプター２から駆動部４０への電源供給をオン／オフする。搬送モーター４４や記録ヘッド４５は消費電力量が大きいため、動作していない間の待機時消費電力も大きく、これら各部への電源供給をオフにすれば待機時消費電力を抑制できる。
【００２４】
また、プリンター１は、ＡＣアダプター２から電源装置３への電源供給ライン上に、オペレーターにより手動で操作される電源スイッチ３５を備えている。電源スイッチ３５は、接点の導通状態と開放状態とを切り換える機械的機構を有するメカニカルスイッチであり、具体的には、トグルスイッチ、スライドスイッチ、レバースイッチ、ロッカースイッチ、ロータリースイッチ等である。
【００２５】
以上のように構成されるプリンター１は、電源供給状態を、次の４段階に切り換えることができる。
（１）プリンター１のＣＰＵ４１、ＲＯＭ４２、ＲＡＭ４３、インターフェイス部４６および駆動部４０の各部に電源が供給されている通常動作状態。
（２）通常動作状態において、駆動部４０への電源供給を停止したスリープ状態。
（３）スリープ状態において、プリンター１のＣＰＵ４１、ＲＯＭ４２、ＲＡＭ４３およびインターフェイス部４６への電源供給を停止した深省電力状態。
（４）ＡＣアダプター２から電源装置３への電源供給が停止した停止状態。
【００２６】
通常動作状態（１）では、ＦＥＴ３２、駆動電源供給部３４および電源スイッチ３５の全てがオン（電力供給状態）となっている。スリープ状態（２）では、ＦＥＴ３２および電源スイッチ３５がオンになっていて、ＣＰＵ４１による制御や、インターフェイス部４６を介したホストコンピューター１００との通信が可能である。一方、駆動電源供給部３４がオフになっており、駆動部４０の各部には電源が供給されておらず、待機時消費電力が抑えられている。
深省電力状態（３）では、駆動電源供給部３４がオフ、ＦＥＴ３２もオフになっていて、ＣＰＵ４１、ＲＯＭ４２、ＲＡＭ４３およびインターフェイス部４６も停止している。このためＣＰＵ４１による制御が行えない。深省電力状態（３）では、プリンター１においてＤＣ／ＤＣコンバーター３１とラッチ回路３３のみが電力を消費している。なお、カバー開閉スイッチ５１およびパネルスイッチ５２には直流電圧が印加されているが、これらのスイッチにおける消費電力はほぼ無視できる。従って、深省電力状態（３）における消費電力はスリープ状態（２）より低く、ほぼ停止状態（４）に近い。プリンター１は、メカニカルスイッチである電源スイッチ３５をオフにすることなく、停止状態（４）のように極めて消費電力量の少ない深省電力状態（３）に移行できる。
【００２７】
プリンター１の電源供給状態の移行は、例えば次のように行われる。
ＣＰＵ４１は、通常動作状態でホストコンピューター１００からの印刷ジョブの受信を待機し、印刷ジョブを受信しない時間を内蔵するタイマーによってカウントする。このカウント値が所定の値に達すると、ＣＰＵ４１は駆動電源供給部３４をオフにして、スリープ状態（２）に移行する。このスリープ状態（２）で印刷ジョブの受信、あるいは操作パネルのパネルスイッチ５２の操作を検出すると、ＣＰＵ４１は駆動電源供給部３４をオンにして駆動部４０への電源供給を開始させ、通常動作状態に復帰する。
また、ＣＰＵ４１はスリープ状態（２）に移行してからの時間をカウントし、カウント値が、予め移行条件として設定された値に達すると、深省電力状態（３）に移行する。
その後、深省電力状態（３）でカバーを開く操作またパネルスイッチ５２の操作が行われると、ＦＥＴ３２がオンになり、プリンター１は通常動作状態に復帰する。
【００２８】
深省電力状態（３）への移行および通常動作状態（１）への復帰に関するプリンター１の動作について、タイミングチャートを参照してより詳細に説明する。
図２は、プリンター１の各部が入出力する信号のタイミングチャートである。図２中、（ａ）はＡＣアダプター２からＤＣ／ＤＣコンバーター３１に供給される直流電圧の電圧ＶＣＣを示し、（ｂ）はＤＣ／ＤＣコンバーター３１がＦＥＴ３２に出力する電圧ＶＤＤを示し、（ｃ）はＦＥＴ３２が記録部４に供給する電圧ＶＤＤＡを示す。また、図中（ｄ）はラッチ回路３３がＦＥＴ３２のゲートに印加するゲート動作電圧ＶＧを示し、（ｅ）はＣＰＵ４１がラッチ回路３３に出力する制御電圧ＳＯを示し、（ｆ）はカバー開閉スイッチ５１およびパネルスイッチ５２からラッチ回路３３に入力されるキャンセル信号ＳＣを示す。
【００２９】
電源スイッチ３５の操作によりプリンター１の電源が投入されると（時刻ｔ１）、ＤＣ／ＤＣコンバーター３１に電圧ＶＣＣが供給され、ＤＣ／ＤＣコンバーター３１の出力電圧ＶＤＤが立ち上がる。また、電圧ＶＤＤがカバー開閉スイッチ５１及びパネルスイッチ５２に供給されることから、キャンセル信号ＳＣの電圧も立ち上がる。電圧ＶＤＤの立ち上がりに伴ってラッチ回路３３に電源が供給され、電源投入から少し遅れて（時刻ｔ２）、ラッチ回路３３からゲート動作電圧ＶＧの出力が開始される。そして、ゲート動作電圧ＶＧの印加によりＦＥＴ３２がオンになって、ＦＥＴ３２の出力電圧ＶＤＤＡが立ち上がって記録部４の各部への電源供給が開始され、ＣＰＵ４１は制御電圧ＳＯの出力を開始し、プリンター１は通常動作状態に移行する。
【００３０】
その後、ＣＰＵ４１の制御により駆動電源供給部３４から駆動部４０への電源供給が停止してスリープ状態に移行し、さらに時間が経過すると、ＣＰＵ４１は、深省電力状態に移行するため、制御電圧ＳＯをローレベルに切り換える（時刻ｔ３）。これに伴いラッチ回路３３が出力するゲート動作電圧ＶＧがローレベルに立ち下がり、ＦＥＴ３２がオフになってＶＤＤＡの出力が停止し、ＣＰＵ４１への電源供給が停止する。この後、ＣＰＵ４１は動作を停止するので制御電圧ＳＯの出力は不定となるが、ラッチ回路３３はローレベルの制御電圧ＳＯをラッチし、ゲート動作電圧ＶＧはローレベルに保たれる。
【００３１】
そして、パネルスイッチ５２の操作によってパネルスイッチ５２がオンになり、あるいは、プリンター１のカバー（図示略）が開かれてカバー開閉スイッチ５１がオンになると、キャンセル信号ＳＣが低下する（時刻ｔ４）。これによりラッチ回路３３のラッチがキャンセルされ、ゲート動作電圧ＶＧがハイレベルに切り換わり、少し遅れてＦＥＴ３２の出力電圧ＶＤＤＡが立ち上がる。これによりＣＰＵ４１から制御電圧ＳＯの出力が再開されて、ＦＥＴ３２から継続してプリンター１の記録部４への電源供給が行われ、プリンター１は通常動作状態に復帰する。
【００３２】
このプリンター１において、図１に示したように、インターフェイス部４６（復帰手段、信号検出手段）がホストコンピューター１００からのコマンドを受信した場合に制御電圧ＳＯをラッチ回路３３に出力する構成としてもよい。この場合、インターフェイス部４６は、深省電力状態においてもＤＣ／ＤＣコンバーター３１から電源の供給を受ける。このようにすれば、プリンター１の深省電力状態において、カバーが開かれたことをカバー開閉スイッチ５１が検出した場合、パネルスイッチ５２が操作された場合、或いは、ホストコンピューター１００から送信されたコマンドをインターフェイス部４６が検出した場合のいずれかの事象を契機として、深省電力状態から通常動作状態に復帰できる。
【００３３】
以上説明したように、本発明を適用した実施形態に係るプリンター１は、記録媒体としてのロール紙に記録を行うプリンター１であって、プリンター１の動作を制御するＣＰＵ４１と、ＣＰＵ４１を含む各部（ＣＰＵ４１、ＲＯＭ４２、ＲＡＭ４３、インターフェイス部４６）に電源を供給するＤＣ／ＤＣコンバーター３１と、ＤＣ／ＤＣコンバーター３１から各部への電源の供給と停止を切り換えるスイッチとして機能するＦＥＴ３２と、ＣＰＵ４１の制御により、ＦＥＴ３２のゲートに印加するゲート動作電圧ＶＧを変化させて、ＦＥＴ３２から各部への電源供給を停止させて低消費電力状態に移行するラッチ回路３３と、ラッチ回路３３にキャンセル信号ＳＣを出力することでゲート動作電圧ＶＧの出力をリセットさせ、ＤＣ／ＤＣコンバーター３１から各部への電源供給を開始させて低消費電力状態から復帰する手段とを備えている。具体的には、カバーが開かれたことを検出するカバー開閉スイッチ５１、オペレーターによる操作を検出するパネルスイッチ５２、および、ホストコンピューター１００から送信されるコマンドを検出するインターフェイス部４６が、検出時にキャンセル信号ＳＣをラッチ回路３３に出力して、ラッチ回路３３のラッチをキャンセルさせる。これにより、ＣＰＵ４１の制御によって、ＣＰＵ４１を含む各部への電源供給を停止する深省電力状態に移行し、プリンター１の外部からカバーを開いたりパネルスイッチ５２を操作することで指示をすると、深省電力状態から復帰する。深省電力状態ではＣＰＵ４１をも停止させるため、モーター等への電力供給を停止する従来のスリープ状態よりもさらに消費電力量が小さく、ほぼ電源オフに近いほど低消費電力であり、しかも、プリンター１の外部からの指示により容易に通常動作状態に復帰できる。これにより、電源がオフの状態とは異なる低消費電力状態に移行可能で、この低消費電力状態における消費電力量をより低く抑えることが可能なプリンター１を提供できる。
【００３４】
また、ＤＣ／ＤＣコンバーター３１からＣＰＵ４１等の各部への電源供給を停止するスイッチとしてＦＥＴ３２を用い、このＦＥＴ３２に対してラッチ回路３３から出力するゲート動作電圧ＶＧを切り換えることで、ＦＥＴ３２の導通状態を変化させる構成としたので、ＣＰＵ４１の電源供給を停止する深省電力状態への移行、および、深省電力状態からの速やかな復帰が可能なプリンター１を、簡単な回路構成を用いて容易に実現できる。
【００３５】
また、搬送モーター４４および記録ヘッド４５を含む駆動部４０と、ＣＰＵ４１の制御に従って、ＤＣ／ＤＣコンバーター３１からＣＰＵ４１を含む各部への電源供給を保ったまま、駆動部４０に対する電源供給を停止させる駆動電源供給部３４を備え、ＣＰＵ４１への電源供給を保ったまま搬送モーターや記録ヘッドへの電源供給を停止するスリープ状態に移行できる。このため、電源オフとは異なり消費電力量を抑えた２通りの状態に移行可能となるので、より細かく消費電力の制御を行える。
【００３６】
また、プリンター１は、プリンター１の外部の電源からＤＣ／ＤＣコンバーター３１へ電源を供給する電源供給ラインを、機械的機構により接離するメカニカルスイッチで構成される電源スイッチ３５を備え、この電源スイッチ３５による電源断をしなくても、ＣＰＵ４１を含めた各部への電力供給を停止して、ほぼ電源オフに近いほど消費電力量を抑えることができる。電源スイッチ３５はＣＰＵ４１によってソフトウェア的にオンオフできないため、電源スイッチ３５を備えたプリンター１は消費電力量の抑制に限度があるが、上記の低消費電力状態に移行することで、ＣＰＵ４１の制御によって、速やかにかつ大幅に消費電力量を低下させることができる。
【００３７】
以上、本発明の一実施の形態について説明したが、本発明はこれに限定されるものではない。例えば、上記実施形態では、カバー開閉スイッチ５１、パネルスイッチ５２およびインターフェイス部４６からラッチ回路３３へキャンセル信号ＳＣが入力される構成を例示して説明したが、本発明はこれに限定されるものではなく、プリンター１が、オペレーターの操作や他の外部装置からの指示を受け付けるインターフェイスを備えて構成される場合は、このインターフェイスからキャンセル信号ＳＣがラッチ回路３３に入力される構成としても良い。また、上記実施形態では、感熱ロール紙に記録ヘッド４５によって熱を与えて記録を行うサーマルプリンターを例に挙げて説明したが、本発明はこれに限定されるものではなく、熱昇華型プリンター、インクジェット式プリンター、ドットインパクトプリンターに本発明を適用してもよい。この場合、印刷ヘッドをキャリッジに搭載し、このキャリッジを記録媒体の搬送方向に直交して走査させる構成としてもよく、この場合のキャリッジ駆動モーターは上記の駆動部４０に含まれる。また、記録媒体としては普通紙をロール状に巻き回したロール紙や、各種定型サイズのカット紙、連続した紙を折り畳んだファンフォールド紙を使用することができ、本体内部に記録媒体を収容する構成であれば、この記録媒体の収容部のカバーの開閉をカバー開閉スイッチ５１により検出すればよい。また、本体内部に記録媒体を収容しない構成とした場合は、駆動部４０の各部を含む記録機構を覆うカバーの開閉をカバー開閉スイッチ５１により検出してもよい。さらに、本発明は、他の装置に組み込まれる各種プリンターにも適用可能である。また、上述の動作を行うＣＰＵ４１が実行するプログラムは、プリンター１が備えるＲＯＭ４２に限らず、他の記憶装置、記憶媒体や外部装置の記憶媒体に記憶させ、ＣＰＵ４１により読み出して実行する構成としても良い。
【符号の説明】
【００３８】
１…プリンター（記録装置）、２…ＡＣアダプター、３…電源装置、４…記録部、３１…ＤＣコンバーター（電源供給手段）、３２…ＦＥＴ（給電切換手段）、３３…ラッチ回路（給電停止手段）、３４…駆動電源供給部（駆動電源供給手段）、３５…電源スイッチ、４０…駆動部、４１…ＣＰＵ（制御手段）、４４…搬送モーター、４５…記録ヘッド、４６…インターフェイス部（復帰手段、信号検出手段）、５１…カバー開閉スイッチ（復帰手段、開閉検出手段）、５２…パネルスイッチ（復帰手段、操作スイッチ）、１００…ホストコンピューター（他の装置）、ＶＧ…ゲート動作電圧（制御信号）、ＳＣ…キャンセル信号（リセット信号）。
【図１】
2012115995.tif 000003
【図２】
2012115995.tif 000004